【手続補正書】
【提出日】平成28年1月13日(2016.1.13)
【手続補正１】
【補正対象書類名】特許請求の範囲
【補正対象項目名】全文
【補正方法】変更
【補正の内容】
【特許請求の範囲】
【請求項１】
二次元平面上に画素が複数配置された撮像素子を有する撮像装置であって、前記二次元平面は、１つまたは複数のラインを有する第一の領域と、複数のラインを有する前記第一の領域以外の第二の領域を有し、各ラインは遮光されたオプティカルブラック領域と前記オプティカルブラック領域以外の有効領域を有し、
各ラインについて、オプティカルブラック領域の画素値から代表値を導出する導出手段と、
前記第一の領域について導出された代表値に基づいて、第一の決定方法に従って前記第一の領域内の各ラインのオフセット補正のための補正値を決定する第一決定手段と、
前記第二の領域について導出された代表値に基づいて、前記第一の決定方法とは独立した第二の決定方法に従って前記第二の領域内の各ラインのオフセット補正のための補正値を決定する第二決定手段と、を備えることを特徴とする撮像装置。
【請求項２】
前記第一の決定方法は、各ラインについて導出された代表値を前記補正値とし、
前記第二の決定方法は、各ラインについて、隣接するラインの代表値を含む複数の代表値に基づいてラインの補正値を決定する関数を用いて、前記補正値を決定することを特徴とする請求項１に記載の撮像装置。
【請求項３】
前記関数は、前記第二の領域における代表値の平均値、隣接するラインの代表値から得られる移動平均、隣接するラインの代表値のメディアン、前記第二の領域の代表値から得られるフィッティングカーブのいずれかを用いることを特徴とする請求項２に記載の撮像装置。
【請求項４】
前記第一の決定方法は、前記第一の領域における各ラインについて、隣接するラインの代表値を含む複数の代表値から当該ラインの補正値を決定する第一の関数を用いて、各ラインの前記補正値を決定し、
前記第二の決定方法は、前記第二の領域における各ラインについて、隣接するラインの代表値を含む複数の代表値から当該ラインの補正値を決定する第二の関数を用いて、各ラインの前記補正値を決定することを特徴とする請求項１に記載の撮像装置。
【請求項５】
前記第一の関数は、前記第一の領域における代表値の平均値、隣接するラインの代表値から得られる移動平均、隣接するラインの代表値のメディアン、前記第一の領域の代表値に基づいて得られるフィッティングカーブのいずれかを用い、
前記第二の関数は、前記第二の領域における代表値の平均値、隣接するラインの代表値から得られる移動平均、隣接するラインの代表値のメディアン、前記第二の領域の代表値に基づいて得られるフィッティングカーブのいずれかを用いることを特徴とする請求項４に記載の撮像装置。
【請求項６】
前記第一および第二決定手段は、前記第一の領域において得られた代表値と前記第二の領域において得られた代表値との差が第一の閾値以下の場合には、前記第一の領域と前記第二の領域を区別することなく共通の決定方法を用いることを特徴とする請求項１乃至５のいずれか１項に記載の撮像装置。
【請求項７】
前記共通の決定方法は、隣接するラインの代表値を含む複数の代表値から当該ラインの補正値を決定する、平滑化を伴う共通の関数により前記補正値を決定することを特徴とする請求項６に記載の撮像装置。
【請求項８】
前記第二の領域において得られた複数の代表値の差が第二の閾値を超える場合に、前記第一の決定方法と前記第二の決定方法ともに、各ラインについて導出された代表値を前記補正値として決定することを特徴とする請求項６または７に記載の撮像装置。
【請求項９】
前記導出手段は、オプティカルブラック領域に欠陥画素が存在する場合は、その欠陥画素と隣接する画素を用いた補間により該欠陥画素の画素値を決定して代表値の計算を行うことを特徴とする請求項１乃至８のいずれか１項に記載の撮像装置。
【請求項１０】
前記導出手段は、オプティカルブラック領域に欠陥画素が存在する場合は、その欠陥画素を除外して前記代表値の導出を行うことを特徴とする請求項１乃至８のいずれか１項に記載の撮像装置。
【請求項１１】
前記第一決定手段と前記第二決定手段により得られた各ラインの補正値を、各ラインの画素値から減算する補正手段を更に備えることを特徴とする請求項１乃至１０のいずれか１項に記載の撮像装置。
【請求項１２】
前記第一の領域は、垂直走査回路が近傍に存在するラインにより構成されることを特徴とする請求項１乃至１１のいずれか１項に記載の撮像装置。
【請求項１３】
二次元平面上に画素が複数配置された撮像素子を有する撮像装置であって、前記二次元平面における画素の各ラインは遮光されたオプティカルブラック領域と前記オプティカルブラック領域以外の領域とを有し、
各ラインについて、前記オプティカルブラック領域の画素値から代表値を導出する導出手段と、
所定のラインについて導出された第１の代表値と前記所定のラインに隣接するラインについて導出された第２の代表値とに基づいて、前記所定のラインに関するオフセット補正のための補正値を決定する第一決定手段と、
前記所定のライン以外のラインに関して導出された第３の代表値に基づいて、前記所定のライン以外の前記ラインに関するオフセット補正のための補正値を決定する第二決定手段と、を備えることを特徴とする撮像装置。
【請求項１４】
二次元平面上に画素が複数配置された撮像素子を有する撮像装置であって、前記二次元平面における画素の各ラインは遮光されたオプティカルブラック領域と前記オプティカルブラック領域以外の領域とを有し、
各ラインについて、前記オプティカルブラック領域の画素値から代表値を導出する導出手段と、
１つ以上のラインを含む第一の領域のラインについて導出された第１の代表値に基づいて、前記第一の領域内のラインのオフセット補正のための補正値を決定する第一決定手段と、
１つ以上のラインを含む第二の領域のラインについて導出された第２の代表値と、前記第二の領域における該ラインに隣接するラインについて導出された第３の代表値とに基づいて、前記第二の領域の該ラインのオフセット補正のための補正値を決定する第二決定手段と、を備えることを特徴とする撮像装置。
【請求項１５】
二次元平面上に画素が複数配置された撮像素子を有する撮像装置の制御方法であって、前記二次元平面は、１つまたは複数のラインを有する第一の領域と、複数のラインを有する前記第一の領域以外の第二の領域を有し、各ラインは遮光されたオプティカルブラック領域と前記オプティカルブラック領域以外の有効領域を有し、
各ラインについて、オプティカルブラック領域の画素値から代表値を導出する導出工程と、
前記第一の領域について導出された代表値に基づいて、第一の決定方法に従って前記第一の領域内の各ラインのオフセット補正のための補正値を決定する第一決定工程と、
前記第二の領域について導出された代表値に基づいて、前記第一の決定方法とは独立した第二の決定方法に従って前記第二の領域内の各ラインのオフセット補正のための補正値を決定する第二決定工程と、を有することを特徴とする撮像装置の制御方法。
【請求項１６】
二次元平面上に画素が複数配置された撮像素子を有する撮像装置の制御方法であって、前記二次元平面における画素の各ラインは遮光されたオプティカルブラック領域と前記オプティカルブラック領域以外の領域とを有し、
各ラインについて、前記オプティカルブラック領域の画素値から代表値を導出する導出工程と、
所定のラインについて導出された第１の代表値と前記所定のラインに隣接するラインについて導出された第２の代表値とに基づいて、前記所定のラインに関するオフセット補正のための補正値を決定する第一決定工程と、
前記所定のライン以外のラインに関して導出された第３の代表値に基づいて、前記所定のライン以外の前記ラインに関するオフセット補正のための補正値を決定する第二決定工程と、を有することを特徴とする撮像装置の制御方法。
【請求項１７】
二次元平面上に画素が複数配置された撮像素子を有する撮像装置の制御方法であって、前記二次元平面における画素の各ラインは遮光されたオプティカルブラック領域と前記オプティカルブラック領域以外の領域とを有し、
各ラインについて、前記オプティカルブラック領域の画素値から代表値を導出する導出工程と、
１つ以上のラインを含む第一の領域のラインについて導出された第１の代表値に基づいて、前記第一の領域内のラインのオフセット補正のための補正値を決定する第一決定工程と、
１つ以上のラインを含む第二の領域のラインについて導出された第２の代表値と、前記第二の領域における該ラインに隣接するラインについて導出された第３の代表値とに基づいて、前記第二の領域の該ラインのオフセット補正のための補正値を決定する第二決定工程と、を有することを特徴とする撮像装置の制御方法。
【請求項１８】
コンピュータに請求項１５乃至１７のいずれか１項に記載の制御方法の各工程を実行させるためのプログラム。
【手続補正２】
【補正対象書類名】明細書
【補正対象項目名】発明の名称
【補正方法】変更
【補正の内容】
【発明の名称】撮像装置、その制御方法及びプログラム